(57)【要約】【課題】送信先を指定したときに、その送信先に対応したユーザ変更不可の送付状を添付した状態でのみ画像データが送信できる画像データ送信装置を提供する。【解決手段】サーバ装置２には、送信先の情報、画像データ送信装置１を使用するユーザの情報、及び使用する送付状データを示す送信設定情報が関連付けられたアドレス帳データが記憶され、装置１又は装置２には送付状データが記憶されている。装置１は、ユーザに応じたアドレス帳データ又は該データ及び送付状データをサーバ装置２から取得し、取得した送付先の情報の中からユーザ選択操作に従って送信先の選択を行い、選択送信先に関連付けられた送付状データに基づき送付状画像データを生成し送信対象画像データを２頁以降として添付して、送付状付き画像データを生成する。ここで生成された送付状付き画像データをその送信先に送信するが、ここで生成された送付状付き画像データ以外は送信を禁止する。【選択図】図１
2008258892.tif 000002
【特許請求の範囲】
【請求項１】
サーバ装置にネットワークを介して接続される画像データ送信装置であって、
前記サーバ装置には、送信先の情報、当該画像データ送信装置を使用するユーザの情報、及び使用する送付状データを示す送信設定情報が関連付けられたアドレス帳データが記憶され、当該画像データ送信装置又は前記サーバ装置には、前記送付状データが記憶されており、
当該画像データ送信装置は、ユーザに応じたアドレス帳データ又は該アドレス帳データ及び送付状データを、前記サーバ装置から取得するデータ取得手段と、該データ取得手段によって取得した送付先の情報の中から、ユーザ選択操作に従って送信先の選択を行う送信先選択手段と、該送信先選択手段によって選択された送信先に関連付けられた送付状データに基づき送付状画像データを生成し、送信対象画像データを２頁以降として添付して、送付状付き画像データを生成する画像データ生成手段と、該画像データ生成手段で生成された送付状付き画像データを前記送信先に送信する画像データ送信手段とを備え、前記画像データ送信手段は、前記画像データ生成手段で生成された送付状付き画像データ以外の画像データの送信を禁止することを特徴とする画像データ送信装置。
【請求項２】
前記送信設定情報は、送信先に対する送信の許可／不許可を示す送信可否情報を含み、前記送信先選択手段は、前記送信可否情報が送信の許可を示している送信先のみを選択可能とすることを特徴とする請求項１に記載の画像データ送信装置。
【請求項３】
前記送信設定情報は、送信対象画像データのサイズ及び／又は解像度を示す画像制限情報を含み、前記画像データ生成手段は、前記画像制限情報が示すサイズ及び／又は解像度に合致する送信対象画像データのみを添付可能とすることを特徴とする請求項１又は２に記載の画像データ送信装置。
【請求項４】
前記データ取得手段は、ユーザから受け付けた信任情報が前記サーバ装置で正しいと判断されたときのみ、前記ユーザに応じたアドレス帳データ又は該アドレス帳データ及び送付状データを取得可能であることを特徴とする請求項１乃至３のいずれか１項に記載の画像データ送信装置。
【請求項５】
画像データ送信装置にネットワークを介して接続されるサーバ装置であって、送信先の情報、前記画像データ送信装置を使用するユーザの情報、及び使用する送付状データを示す送信設定情報が関連付けられたアドレス帳データ、又は該アドレスデータ及び前記送付状データを記憶する記憶手段と、前記画像データ送信装置からの取得要求に応じて、該要求のあった画像データ送信装置のユーザに応じたアドレス帳データ又は該アドレス帳データ及び送付状データを前記記憶手段から読み出して送信するデータ送信手段とを備えることを特徴とするサーバ装置。
【請求項６】
サーバ装置と、該サーバ装置にネットワークを介して接続された画像データ送信装置とを備えた画像データ送信システムであって、
前記サーバ装置には、送信先の情報、前記画像データ送信装置を使用するユーザの情報、及び使用する送付状データを示す送信設定情報が関連付けられたアドレス帳データが記憶され、前記画像データ送信装置又は前記サーバ装置には前記送付状データが記憶されており、
前記画像データ送信装置は、ユーザに応じたアドレス帳データ又は該アドレス帳データ及び送付状データを前記サーバ装置から取得するデータ取得手段と、該データ取得手段によって取得した送付先の情報の中から、ユーザ選択操作に従って送信先の選択を行う送信先選択手段と、該送信先選択手段によって選択された送信先に関連付けられた送付状データに基づき送付状画像データを生成し、送信対象画像データを２頁以降として添付して、送付状付き画像データを生成する画像データ生成手段と、該画像データ生成手段で生成された送付状付き画像データを前記送信先に送信する画像データ送信手段とを備え、前記画像データ送信手段は、前記画像データ生成手段で生成された送付状付き画像データ以外の画像データの送信を禁止することを特徴とする画像データ送信システム。
【請求項７】
サーバ装置にネットワークを介して接続される画像データ送信装置の制御部に組み込むためのプログラムであって、
前記サーバ装置には、送信先の情報、前記画像データ送信装置を使用するユーザの情報、及び使用する送付状データを示す送信設定情報が関連付けられたアドレス帳データが記憶され、前記画像データ送信装置又は前記サーバ装置には前記送付状データが記憶されており、
当該プログラムは、前記画像データ送信装置の制御部に、ユーザに応じたアドレス帳データ又は該アドレス帳データ及び送付状データを前記サーバ装置から取得するデータ取得ステップと、該データ取得ステップによって取得した送付先の情報の中から、ユーザ選択操作に従って送信先の選択を行う送信先選択ステップと、該送信先選択ステップによって選択された送信先に関連付けられた送付状データに基づき送付状画像データを生成し、送信対象画像データを２頁以降として添付して、送付状付き画像データを生成する画像データ生成ステップと、該画像データ生成ステップで生成された送付状付き画像データを前記送信先に送信する画像データ送信ステップとを実行させ、前記画像データ送信ステップは、前記画像データ生成ステップで生成された送付状付き画像データ以外の画像データの送信を禁止することを特徴とするプログラム。
【発明の詳細な説明】
【技術分野】
【０００１】
本発明は、画像データ送信装置、サーバ装置、画像データ送信システム、及びプログラムに関し、より詳細には、送信先を指定して送付状付きの画像データを送信する画像データ送信装置、それに接続されるサーバ装置、画像データ送信装置及びサーバ装置を備えた画像データ送信システム、並びに、画像データ送信装置側に組み込むプログラムに関する。
【背景技術】
【０００２】
従来から、例えばファクシミリ装置をはじめ、ファクシミリ機能やインターネットファクシミリ機能をもった複合機などの画像データ送信装置が市場に流通している。このような画像データ送信装置は、予め登録された相手先或いは送信時に入力した相手先のアドレスに画像データを送信する機能をもつ。
【０００３】
特許文献１には、電話帳に相手先データを登録する手間を減少させるために、登録されていない送信先に対して送信を終了したときに、その送信に使用した設定を送信先に関連付けて電話帳登録を行うクライアント・サーバ型ファクシミリシステムが開示されている。
【０００４】
また、特許文献２には、受信者名の指定により送信方法とアドレスの設定を可能とし、送信方法の変更にともない適切なアドレスを再設定可能とすること、文書の機密度、緊急度、属性、装置の設置場所、回線の状態などの条件から送信方法とアドレスを自動的に選択すること、文書データを送信したことを通知する送付状を自動生成して送信することなどにより、文書送信時の操作性を向上させた文書送信装置が開示されている。この文書管理装置では、所定の条件に従ってアドレス帳から詳細宛先を自動的に選択し、所定の条件から送付状を自動生成し、送信している。ここでは、空文書に、抽象宛先（受信者名）、日時、文書のページ数、送信方法（ＦＡＸ／電子メール／ファイル転送プロトコル等）、詳細宛先（宛先のアドレス）、及び定型文を挿入することで、送付状の自動生成を行っている。
【０００５】
さらに、特許文献３には、アドレス帳の管理処理を効率良くすることを目的とした画像形成装置が開示されている。この画像形成装置のアドレス帳管理部は、送信処理に用いる宛先データを管理する宛先管理と、利用者による宛先データの選択を管理する選択管理を分離してアドレス帳管理の仕組みを構築し、さらに、宛先管理を担当するアドレス帳クラス、選択管理を担当する選択シートクラス、アドレス帳クラスを束ねる書棚クラス、個々の宛先に対応する宛先クラス、選択された宛先への送信を管理する送付状クラス、選択シートクラスのサブクラスであり既存の宛先の選択に特化した既存宛先選択シートクラス、及び選択シートクラスのサブクラスであり新規に入力された宛先の選択に特化した追加宛先選択シートクラスを用いている。
【特許文献１】特開平７−５８８９８号公報
【特許文献２】特開平１１−２１５３３９号公報
【特許文献３】特開２００６−８７０２８号公報
【発明の開示】
【発明が解決しようとする課題】
【０００６】
しかしながら、特許文献１に記載のシステムでは、電話帳の登録に必要な項目を抽出して自動的に登録することは可能であるが、不足しているデータはユーザに要求して登録させるように構成されており、ユーザが自由に電話帳に関する登録項目を変更可能となっている。さらに、特許文献２，３に記載のシステムにおいても、データ送信を行う文書送信装置又は画像形成装置においてアドレスの登録が可能であり、送信時の送付状もその装置で変更可能となっている。
【０００７】
従って、特許文献１−３に記載の技術をはじめとする従来技術では、喩え管理者がアドレス帳に適切な送付状等の送信設定情報を設定したとしても、各ユーザがその送信設定情報を変更できてしまったり、各ユーザが重要な契約先へ送信を行う場合に不適切な送付状で送信できてしまうといった問題点があった。
【０００８】
また、特許文献２に記載の装置では、送信先（宛先）に応じて定型文等でなる送付状が特に決まっている訳ではなく、また特許文献２，３に記載の装置ではユーザ（送信者）と送信先との関係に応じて送付状が決まっている訳ではない。
【０００９】
本発明は、上述のごとき実情に鑑みてなされたものであり、送信先を指定したときに、その送信先に対応したユーザ変更不可の送付状を添付した状態でのみ画像データが送信できる画像データ送信装置、それに接続されるサーバ装置、画像データ送信装置及びサーバ装置を備えた画像データ送信システム、並びに、画像データ送信装置側に組み込むプログラムの提供を、その目的とする。
【課題を解決するための手段】
【００１０】
上記の課題を解決するために、本発明に係る画像データ送信装置は、サーバ装置にネットワークを介して接続される画像データ送信装置であって、前記サーバ装置には、送信先の情報、当該画像データ送信装置を使用するユーザの情報、及び使用する送付状データを示す送信設定情報が関連付けられたアドレス帳データが記憶され、当該画像データ送信装置又は前記サーバ装置には、前記送付状データが記憶されており、当該画像データ送信装置は、ユーザに応じたアドレス帳データ又は該アドレス帳データ及び送付状データを、前記サーバ装置から取得するデータ取得手段と、該データ取得手段によって取得した送付先の情報の中から、ユーザ選択操作に従って送信先の選択を行う送信先選択手段と、該送信先選択手段によって選択された送信先に関連付けられた送付状データに基づき送付状画像データを生成し、送信対象画像データを２頁以降として添付して、送付状付き画像データを生成する画像データ生成手段と、該画像データ生成手段で生成された送付状付き画像データを前記送信先に送信する画像データ送信手段とを備え、前記画像データ送信手段は、前記画像データ生成手段で生成された送付状付き画像データ以外の画像データの送信を禁止することを特徴としたものである。
【００１１】
本発明に係るサーバ装置は、画像データ送信装置にネットワークを介して接続されるサーバ装置であって、送信先の情報、前記画像データ送信装置を使用するユーザの情報、及び使用する送付状データを示す送信設定情報が関連付けられたアドレス帳データ、又は該アドレスデータ及び前記送付状データを記憶する記憶手段と、前記画像データ送信装置からの取得要求に応じて、該要求のあった画像データ送信装置のユーザに応じたアドレス帳データ又は該アドレス帳データ及び送付状データを前記記憶手段から読み出して送信するデータ送信手段とを備えることを特徴としたものである。
【００１２】
本発明に係る画像データ送信システムは、サーバ装置と、該サーバ装置にネットワークを介して接続された画像データ送信装置とを備えた画像データ送信システムであって、前記サーバ装置には、送信先の情報、前記画像データ送信装置を使用するユーザの情報、及び使用する送付状データを示す送信設定情報が関連付けられたアドレス帳データが記憶され、前記画像データ送信装置又は前記サーバ装置には前記送付状データが記憶されており、前記画像データ送信装置は、ユーザに応じたアドレス帳データ又は該アドレス帳データ及び送付状データを前記サーバ装置から取得するデータ取得手段と、該データ取得手段によって取得した送付先の情報の中から、ユーザ選択操作に従って送信先の選択を行う送信先選択手段と、該送信先選択手段によって選択された送信先に関連付けられた送付状データに基づき送付状画像データを生成し、送信対象画像データを２頁以降として添付して、送付状付き画像データを生成する画像データ生成手段と、該画像データ生成手段で生成された送付状付き画像データを前記送信先に送信する画像データ送信手段とを備え、前記画像データ送信手段は、前記画像データ生成手段で生成された送付状付き画像データ以外の画像データの送信を禁止することを特徴としたものである。
【００１３】
本発明に係るプログラムは、サーバ装置にネットワークを介して接続される画像データ送信装置の制御部に組み込むためのプログラムであって、前記サーバ装置には、送信先の情報、前記画像データ送信装置を使用するユーザの情報、及び使用する送付状データを示す送信設定情報が関連付けられたアドレス帳データが記憶され、前記画像データ送信装置又は前記サーバ装置には前記送付状データが記憶されており、当該プログラムは、前記画像データ送信装置の制御部に、ユーザに応じたアドレス帳データ又は該アドレス帳データ及び送付状データを前記サーバ装置から取得するデータ取得ステップと、該データ取得ステップによって取得した送付先の情報の中から、ユーザ選択操作に従って送信先の選択を行う送信先選択ステップと、該送信先選択ステップによって選択された送信先に関連付けられた送付状データに基づき送付状画像データを生成し、送信対象画像データを２頁以降として添付して、送付状付き画像データを生成する画像データ生成ステップと、該画像データ生成ステップで生成された送付状付き画像データを前記送信先に送信する画像データ送信ステップとを実行させ、前記画像データ送信ステップは、前記画像データ生成ステップで生成された送付状付き画像データ以外の画像データの送信を禁止することを特徴としたものである。
【発明の効果】
【００１４】
本発明によれば、送信先を指定したときに、その送信先に対応したユーザ変更不可の送付状を添付した状態でのみ画像データが送信できる。
【発明を実施するための最良の形態】
【００１５】
本発明に係る画像データ送信装置は、送信先の情報を記憶するサーバ装置にネットワークを介して接続される装置である。また、本発明に係る画像データ送信システムは、１又は複数台の画像データ送信装置とサーバ装置とを備えたシステムである。ここで、サーバ装置は分散させて構成してもよい。
【００１６】
この画像データ送信装置としては、例えばファクシミリ装置、読み込んだ画像データを音声回線網やＩＳＤＮ回線網などを介して送信するファクシミリ機能、読み込んだ画像データを電子メールの添付ファイルとして送信するインターネットファクシミリ機能、読み込んだ画像データをファイル転送プロトコル（ＦＴＰ）で送信するファイル転送機能のいずれかを少なくとももつ複合機やＰＣなど、様々な機器が適用できる。なお、ＰＣを採用する場合には送信対象によってはスキャナ装置との接続が必要な場合もある。また、この画像データ送信装置は、画像データの送信機能だけでなく受信機能も併せてもたせて構成することが一般的であり、その場合、画像データ通信装置とも言える。
【００１７】
図１は、本発明の一実施形態に係る画像データ送信システムの一構成例を示すブロック図で、図中、１は画像データ送信装置、２はサーバ装置、３はネットワークである。図１で例示する画像データ送信装置１は制御部１０及び通信部１６を備え、サーバ装置２は制御部２０、記憶部２３、及び通信部２６を備える。ネットワーク３としては、インターネット回線網、イントラネット回線網、或いはＬＡＮ回線網などがそれに該当する。
【００１８】
サーバ装置２において、記憶部２３は、ハードディスク等の記憶手段でなり、送付すべき送付先（送信先）の情報を含むアドレス帳データを記憶するアドレス帳記憶部２４と、送付状データを記憶する送付状記憶部２５とを備える。以下、送付状データとして、より好ましい例である、送付すべき送付状の規定部分となり元となるデータを挙げて説明するが、送付状の画像データそのものであってもよい。通信部２６は、画像データ送信装置１との各種データのやりとりをネットワーク３を介して実行する。
【００１９】
制御部２０は、送信先の情報を登録してアドレス帳データを生成するアドレス帳登録部２１と、送信制御部２２とを備える。例えば、制御部２０は、ＣＰＵ、プログラム格納領域としてのＲＯＭやハードディスク等、作業領域としてのＲＡＭなどのハードウェアを備え、ＲＯＭやハードディスク等に所定の制御プログラムを格納しておくとよい。これにより、ＣＰＵがＲＯＭ等に格納された所定の制御プログラムをＲＡＭ上に読み出して実行し、各部２１，２２の機能を含め制御部２０の機能を実現することができる。
【００２０】
アドレス帳登録部２１は送付状登録部２１ａを有し、送付状登録部２１ａは送付状データの生成・登録を行う。その登録先は送付状記憶部２５となる。アドレス帳登録部２１で生成されたアドレス帳データはアドレス帳記憶部２４に記憶される。アドレス帳登録部２１では、画像データ送信装置１のユーザの情報と、送付先の情報と、使用する送付状データを示す送信設定情報とを関連付けて登録する。結果として、記憶部２３には、送信先の情報、画像データ送信装置１を使用するユーザの情報、及び使用する送付状データを示す送信設定情報が関連付けられたアドレス帳データと、送付状データとが記憶される。
【００２１】
送信制御部２２は、画像データ送信装置１からのアドレス帳取得要求に応じて、アドレス帳記憶部２４、送付状記憶部２５からそれぞれアドレス帳データ、送付状データを読み出して、通信部２６に送信させる制御を行う。ここでは、アドレス帳（送信先の情報）のみの取得要求、アドレス帳以外のアドレス帳データの取得要求、送付状データの取得要求など、要求の種類に応じて対応するデータを返すようにしておけばよい。送信制御部２２及び通信部２６で例示したように、サーバ装置２は、画像データ送信装置１からの取得要求に応じたデータを記憶部２３から読み出して送信を行うデータ送信手段を備える。
【００２２】
一方、画像データ送信装置１において、制御部１０は、アドレス帳取得部１１、送信先選択部１２、送信条件選択部１３、送信データ生成部１４、及び送信要求部１５を備え、画像データ送信のために必要なデータをサーバ装置２から取得する制御、並びに実際に画像データを送信するための制御を行う。例えば、制御部１０も制御部２０と同様に、ＣＰＵ、ＲＯＭ、ＲＡＭ等のハードウェアを備え、ＲＯＭやハードディスク等に所定の制御プログラムを格納しておくことで、各部１１〜１５の機能を含め制御部１０の機能を実現することができる。
【００２３】
通信部１６は、サーバ装置２との各種データのやりとりをネットワーク３を介して実行すると共に、送信対象の画像データを送信先に送信する。画像データの送信自体は、送信形態によって異なる。例えば、サーバ装置２に接続されたネットワーク３を利用して送信する構成や、別の回線（上述の音声回線網やＩＳＤＮ回線網等）を用いて送信する構成、さらにはこのサーバ装置２が送信サーバ装置となって一旦画像データを受けた上で送信する構成などが採用できる。また、画像データ自体は、スキャナによって画像読み取りしたデータや予め画像データ送信装置内に格納しておいたデータなどを送信対象とすればよい。
【００２４】
アドレス帳取得部１１は、サーバ装置２の記憶部２３に記憶されたアドレス帳を通信部１６を利用して取得する。ここでは、アドレス帳（送信先の情報）のみの取得要求、アドレス帳以外のアドレス帳データの取得要求、送付状データの取得要求など、様々な要求を適宜実行し、要求に対応したデータをサーバ装置２から取得する。例えば、送付状データの取得は、アドレス帳データの取得時でなくても、送信先が選択されてからでもよい。アドレス帳取得部１１では、アドレス帳記憶部２４に格納されているアドレス帳データのうち対応するユーザに関する部分のみ取得すればよい。
【００２５】
アドレス帳取得部１１及び通信部１６で例示したように、画像データ送信装置１は、ユーザに応じたアドレス帳データ（送付先の情報及び送信設定情報）及び送付状データを、サーバ装置２から取得するデータ取得手段を備える。但し、送信設定情報のうち送付状の情報は取得しなくても送付状データ自体を取得するだけでもよい。
【００２６】
送信先選択部１２は、操作ボタンやキーボード等の入力装置、表示装置、及びグラフィカルユーザユーザインターフェース（ＧＵＩ）等のＵＩで構成され、アドレス帳取得部１１で取得したアドレス帳から送信先を選択する。送信先選択部１２で例示したように、画像データ送信装置１は、取得した送付先の情報の中からユーザ選択操作に従って送信先の選択を行う送信先選択手段を備える。
【００２７】
送信条件選択部１３は、アドレス帳の各送信先に関連付けられた送付状データを自動的に選択する。送信データ生成部１４は、送付状データから日付、ユーザ名、宛先名等（送付状データによって異なる）を代入することで生成した送付状画像データと、２頁以降の送信対象画像データ（原稿データ）とを重ねる。
【００２８】
送信条件選択部１３及び送信データ生成部１４で例示したように、画像データ送信装置１は次の画像データ生成手段を備える。この画像データ生成手段は、送信先選択部１２によって選択された送信先に関連付けられて取得された送付状データに基づき送付状画像データを表紙として生成し、送信対象画像データを２頁以降として添付して、送付状付き画像データを生成する。
【００２９】
但し、送付状データが送付状の画像データそのものの場合には送付状画像データの生成は不要となる。なお、送付状画像データと送信対象画像データとの添付の方法は、ページ毎に画像データを送信する形態にあっては単に順に並べるだけでよく、一つのファイルとして送信する形態にあってはそれらの画像データを並べて合成するとよい。
【００３０】
送信要求部１５は、生成された送付状付き画像データを送信する旨の要求を通信部１６に対して行う。送信要求部１５及び通信部１６で例示したように、画像データ送信装置１は、生成された送付状付き画像データを送信先に送信する画像データ送信手段を備える。
【００３１】
そして、この画像データ送信手段は、画像データ生成手段で生成された送付状付き画像データのみ送信を許可し、それ以外の画像データの送信を禁止する。この禁止は、そのユーザのアドレス帳データに指定されている送信情報以外での送信の禁止（すなわち送信先選択部１２によって選択できない送信先への送信の禁止）、指定された送付状以外での送信の禁止（変更された送付状での送信の禁止）、さらにはサーバ装置２で管理できない設定での送信の禁止を意味する。従って、例えば、各ユーザによって設定していない業務と関係のない送信先へ送信することを禁止すること、すなわち特定のユーザに対して特定の送信先への送信を禁止することが可能となる。禁止処理は、制御部１０内の制御プログラムとして構成していた場合にはその制御プログラムでしか外部へアクセスできないようにしておくなど、様々な方法が採用できる。
【００３２】
このように、本発明によれば、ユーザ個々に対して割り当てられたアドレス帳に対して、送信先毎にそれぞれ異なる送付状が設定可能となっているため、送信先を指定したときに、その送信先に対応したユーザ変更不可の送付状を添付した状態でのみ画像データが送信できる。
【００３３】
上述のごとき構成の画像データ送信システムの構成及びその動作を具体例を挙げながら説明する。まず、図２乃至図６を参照してサーバ装置２でのアドレス帳データ及び送付状データの登録処理について説明する。
【００３４】
図２は、図１のサーバ装置における送信先情報の登録画面の一例を示す図、図３は、図１のサーバ装置におけるユーザ毎の送信先情報の登録画面の一例を示す図、図４は、図１のサーバ装置におけるユーザ毎の送信先情報の登録画面の他の例を示す図である。また、図５は、図１のサーバ装置において登録される送付状データ及びその送付状データから最終的に画像データ送信装置で生成される送付状画像データの一例を示す図で、図６は、図１のサーバ装置において記憶されるアドレス帳データの一例を示す図である。
【００３５】
アドレス帳（送信先情報）及び送信設定情報の作成・登録処理は、登録先である記憶部２３に加え、キーボードやマウス等の入力装置、表示装置、及びＵＩで構成される登録手段で実現でき、管理者は図２（Ａ），（Ｂ）で例示するようなＵＩの登録画面で登録できる。
【００３６】
図２（Ａ）の登録画面３１では、送信先の名称が「あああ」、送信形態（送信種類）がＦＡＸ、送信先アドレス（ここではＦＡＸ番号）が「０７４３−００−００００」として、管理者が画面上で入力した例を示している。さらに、送信設定情報として、送付状データが「サンプルＡ」、送信対象画像データの用紙サイズが「Ａ４」、その解像度が「２００×２００ｄｐｉ」、そのカラーモードが「モノクロ」、そのファイル形式が「ＴＩＦ」、その圧縮形式が「ＭＭＲ」、管理者への転送（管理者が使用するＰＣ等への転送）の方式が「電子メール」として、それぞれ管理者が画面上で入力した例を示している。この例では、送付状としてはサンプルＡのみが追加でき、他の送付状では送信できない。また、この相手先に送信するときは、常に管理者に電子メールで転送される。
【００３７】
このように、送信設定情報は、送信対象画像データのサイズ（用紙サイズ）及び／又は解像度を示す画像制限情報を含むようにしてもよい。画像制限情報にはその他の列記した情報をはじめとして他の情報も含むようにしてもよい。そして、送信データ生成部１４等でなる画像データ生成手段は、画像制限情報が示すサイズ及び／又は解像度に合致する送信対象画像データのみを添付可能とする。このように、アドレス帳データでは添付する送付状以外に用紙サイズや解像度等の送信設定情報を指定可能としておくことで、特定の送信先に対して特定の送信設定情報で送信することができるため、重要な契約先に不適切な画像を送信することを防止することができる。
【００３８】
図２（Ｂ）の登録画面３２では、図２（Ａ）の登録画面３１と比べ、送信対象画像データの用紙サイズが「Ａ３」，「Ａ４」，「Ａ５」，「Ｂ４」，「Ｂ５」の中から１又は複数選択可能となっており、その解像度が「２００×２００ｄｐｉ」，「４００×４００ｄｐｉ」の中から一方又は双方選択可能となっており、圧縮形式も「ＭＲ」，「ＭＨ」，「ＭＭＲ」の中から１又は複数選択可能になっている。実際、登録画面３２では、送付状データが「なし」で、且つ、用紙サイズが「Ａ４」，「Ａ５」，「Ｂ５」のいずれかに限り、その解像度が「２００×２００ｄｐｉ」に限り、圧縮形式が「ＭＭＲ」に限るように、管理者によって選択設定されている。
【００３９】
また、登録画面３２の設定をサーバ装置２で行った場合、クライアントとなる画像データ送信装置１側ではユーザが用紙サイズをＡ４，Ａ５，Ｂ５の中から選択することができ、送付状も自由に選択することができる。この例では、送付状としては指定がない場合に、どのような送付状を表紙として送信してもよいとしたが、送付状なしでの送信に限るように決めておいてもよい。
【００４０】
図２（Ｂ）で例示したように、送信設定情報はユーザが選択可能な選択肢（管理者が許可するユーザの選択範囲）を設定することができる。これにより、ユーザは或る程度フレキシブルな送信対象データを送信させることが可能となる。勿論、図２（Ａ）で例示したように設定しなくてもよい。
【００４１】
図２では、特にユーザを限らずに送信先情報及び送信設定情報を登録した例を示したが、これらの情報に対して適用するユーザを後で選択して記憶させておけばよい。また、図３及び図４で例示するように、登録時にそれらの情報を適用するユーザを入力しておいてもよい。
【００４２】
図３（Ａ）で例示する登録画面３３はＵｓｅｒ１用のものであり、図３（Ｂ）で例示する登録画面３４はＵｓｅｒ２用のものである。また、図４で例示する登録画面３５はＵｓｅｒ１，３用のものである。
【００４３】
一方、送付状データは、図５（Ａ）で例示する送付状データ３６のように、送付状のデザイン（枠の大きさ、位置、種類）のみを保存しておけばよい。送付状データ３６では、１行目は、枠の種類が「日付」で、枠の始点が（１００，１０）、枠の大きさが（５０，１０）である枠を示している。５行目の画像枠、６行目のテキスト枠のように、画像ファイル名（ここではサンプル．ｂｍｐ）、枠内に描画される文字列（ここでは「見積を送付しますので、ご確認よろしくお願いします。」）を指定することもできる。これらのフォーマットは予め決定されており、画像データ送信装置１ではそのフォーマットに従って、送付状画像の生成を行う。
【００４４】
図５（Ａ）の送付状データに基づき、画像データ送信装置１の送信データ生成部１４で生成する送付状画像データは、図５（Ｂ）の画像データ３７のようになる。画像データ３７は、日付枠３７ａ、時刻枠３７ｂ、送信先名（宛名）枠３７ｃ、アドレス枠３７ｄ、画像枠３７ｅ、テキスト枠３７ｆをもち、それぞれに対応するデータが送信データ生成部１４によって基本的にサーバ装置２から読み込まれ、送付状画像データが描画（生成）される。例えば、送信先名３７ｃ及びアドレス枠３７ｄはユーザが選択した送信先の情報から取得すればよく、画像枠３７ｅやテキスト枠３７ｆ内に読み込まれる情報は予め送付状データの一部として送付状記憶部２５に格納しておきそこから取得すればよい。また、日付枠３７ａや時刻枠３７ｂは、好ましくはサーバ装置２の現在の日付・時刻を枠内に描画する。そして、送信データ生成部１４は、このようにして生成した送付状画像データを原稿の１ページ目に追加して、送付状付き画像データを生成する。
【００４５】
アドレス帳データには送付状データの情報が関連付けられており、図５（Ａ）のように、送付状データ自体は添付する送付状のデザインや文面などが管理者によって指定できる。従って、特定のユーザ、特定の送信先の組み合わせに対して、特定のフォーマットで送信することができるため、重要な契約先に不適切な画像を送信することを防止することができる。
【００４６】
図６で例示するアドレス帳データ３８には、名前、送信形態（種類）、及びアドレスを含む送信先情報の他に、許可ユーザ名と送信設定情報が保存されている。同じ送信先でも許可ユーザを複数設定しておけば、複数の送信先が保存される。例えば、同じ「あああ」という送信先にＵｓｅｒ１とＵｓｅｒ２が許可されているために、２つ送信先が保存されている。なお、画像データ送信装置１とユーザとの関係は、１対１に限らず、１対多、多対１、多対多であってもよい。従って、アドレス帳データは画像データ送信装置１毎ではなく図６で例示したようにユーザ毎のデータとして管理しておくことが好ましい。
【００４７】
ここでは許可ユーザ名として格納した例を示したが、その他、ユーザ毎に役職などに応じた権限を設定（ランク分け）しておき、送信先と送付状情報との関係で送信可能なユーザのランクを格納しておいてもよい。すなわち、送信設定情報に、送信先に対する送信の許可／不許可を示す送信可否情報を含むようにしてもよい。その場合、送信先選択部１２は、送信可否情報が送信の許可を示している送信先のみを選択可能とする。
【００４８】
次に、図７及び図８を参照して画像データ送信装置１での送信先選択処理について説明する。図７は、図１の画像データ送信装置における一連の送信先選択画面の一例を示す図で、図８は、図７に続く送信先選択画面の一例を示す図である。
【００４９】
画像データ送信装置１での送信先選択処理は、キーボードやマウス等の入力装置、表示装置、及びＵＩで構成される送信先選択手段で実現でき、ユーザは図７（Ａ）〜（Ｃ），図８（Ａ），（Ｂ）の一連の画面４１〜４５で例示するようなＵＩで選択できる。
【００５０】
図７（Ａ）の送信先選択画面４１では、名前入力欄４１ａ、アドレス入力欄４２ｂ、送信先を追加するための追加ボタン４１ｃ、アドレス帳を選択するためのアドレス帳ボタン４１ｄ、及び選択中の送信先を列記する選択送信先表示欄４１ｅが表示されている。ここで、直接名前とアドレスを入力することを禁止し、アドレス帳からの選択のみを許可するため、名前入力欄４１ａ及びアドレス入力欄４２ｂをグレーアウトしておくことが好ましい。
【００５１】
送信先選択画面４１でアドレス帳ボタン４１ｄが選択されると、図７（Ｂ）のアドレス帳選択画面４２が表示され、アドレス帳が保存されているサーバ名４２ａ、サーバ内のフォルダ名４２ｂ、及びアドレス帳名４２ｃを指定するように促される。アドレス帳選択画面４２は、アドレス帳データをもつサーバ装置２をネットワーク上から自動的に検索したり、予めアドレス帳が指定されていてもよい。アドレス帳名４２ｃは、選択可能なアドレス帳が表示されている。なお、アドレス帳名４２ｃとしてアドレス帳Ｉ，ＩＩが表示された例を示しているが、このうち一つは送付状を含め送信設定情報による送信の制限がない送信先群が登録されたアドレス帳を用意しておいてもよい。
【００５２】
アドレス帳の一つを選択すると、図７（Ｃ）の信任情報入力画面４３が表示され、信任情報（ユーザ名・パスワード等）を入力するように促される。なお、特定のアドレス帳データのみを取得する際に信任情報の入力を要求するようにしてもよい。そして、信任情報をサーバ装置２へ送り、サーバ装置２がそれを認証した段階ではじめて図８（Ａ）のアドレス（送信先）選択画面４４を画像データ送信装置１で表示させてアドレス帳を取得できるようにする。このように、アドレス帳取得部１１等で例示したデータ取得手段は、ユーザから受け付けた信任情報がサーバ装置２で正しいと判断されたときのみ、ユーザに応じた送付先の情報及び送付状データを取得可能としておくことが好ましい。信任情報の入力を要求することによって、なりすましユーザがアドレス帳データを取得することを防止することができる。
【００５３】
図８（Ａ）の送信先選択画面４４は、アドレス帳データからそのユーザに割り当てられたアドレス一覧を表示する一覧リスト４４ａと、その一覧リスト４４ａから選択した送信先の一覧を表示する選択一覧（送信先リスト）リスト４４ｂと、選択を実行する選択ボタン４４ｃと、選択を解除する解除ボタン４４ｄとを表示している。このように、入力したユーザ情報が認証されるとそのユーザ用に登録されているアドレス帳が表示され、送信先リストに追加できる。
【００５４】
その他、図７（Ａ）の送信先選択画面４１の表示時に、図８（Ｂ）の送信先選択画面４５のように、ユーザが手動でアドレス入力欄４５ｂにアドレスを入力、若しくはユーザが手動で名前入力欄４５ａに送信先名を入力できるようにしてもよい。なお、送信先選択画面４５にも、追加ボタン４５ｃ、アドレス帳ボタン４５ｄ、及び選択送信先表示欄４５ｅが表示されている。その場合、登録されているアドレス帳データの中に一致するアドレス若しくは送信先名があるか否かを判断し、一致するアドレス若しくは送信先名の場合は送信先リストに追加できるようにしてもよい。例えば、ユーザがアドレス入力欄４５ｂに「０７４３−００−００００」が入力された場合、アドレス帳に登録されていれば、送信先が例えば「あああ」と判断され、「あああ」に設定されている送信設定情報に従った送信制限が可能となる。
【００５５】
図９及び図１０は、図１の画像データ送信システムにおける画像データの送信処理の一例を説明するためのフロー図で、図９は画像データ送信装置側の処理例を、図１０はそれに対応するサーバ装置側の処理例を示している。
【００５６】
まず、画像データ送信装置１は、ユーザから送信対象画像データを指定して画像送信が要求されたとき、それを受け付け（ステップＳ１）、アドレス帳取得部１１がユーザ名の取得を行う（ステップＳ２）。なお、送信対象画像データの指定（画像読み込みやファイル指定等）は、送信指示（後述のステップＳ１０）の前に実行しておけばよい。
【００５７】
そして、アドレス帳取得部１１が、取得したユーザ名に合致するアドレス帳（送信先情報）の取得要求を通信部１６を介してサーバ装置２に対して実行する（ステップＳ３）。これに対し、アドレス帳取得部１１が、サーバ装置２から信任情報の入力要求が有ったか否かを判定し（ステップＳ４）、ＹＥＳの場合のみ、信任情報入力画面を表示し（ステップＳ５）、信任情報の入力を受け付け、サーバ装置２に送信して認証結果を待つ（ステップＳ６）。入力要求がなかった場合や、認証が成功した時点で、ステップＳ７へ進む。
【００５８】
ステップＳ７では、アドレス帳取得部１１が、サーバ装置２からそのユーザに対応したアドレス帳を取得してＵＩで画面表示させる。ステップＳ７に続いて、送信先選択部１２が、送信先のユーザ選択を受け付ける（ステップＳ８）。アドレス帳取得部１１が、ステップＳ８で選択された送信先に関連付けられた送信設定情報及び送付状データを、通信部１６を介してサーバ装置２に対して取得要求して取得する（ステップＳ９）。送信先選択部１２は、この取得に対してＵＩを変更し、ユーザは変更されたＵＩを元に送信設定情報の選択設定（例えば図２（Ｂ）で示した「Ａ４」，「Ａ５」，「Ｂ５」の中からの選択）を行う。
【００５９】
続いて、送信要求部１５が、ユーザから送信指示を受け付けたか否かを判定し（ステップＳ１０）、受け付けた時点で、送信データ生成部１４が、ステップＳ１の画像送信要求に伴った送信対象画像データ及びステップＳ９で取得した送信設定情報に基づいて、送付状画像データを生成して送信対象画像データに添付し、送付状付き画像データを生成する（ステップＳ１１）。次いで、送信要求部１５が、生成された送付状付き画像データの送信を通信部１６を介して実行する（ステップＳ１２）。
【００６０】
一方、サーバ装置２側では、ステップＳ３の要求を受信したか否かを判定し（ステップＳ２１）、受信した場合にのみ以下の処理を実行する。まず、サーバ装置２は、そのアドレス帳を送信するために信任情報の入力が必要か否かを判断し（ステップＳ２２）、必要であれば画像データ送信装置１に対して信任情報の入力要求を送信する（ステップＳ２３）。そして、ステップＳ６で送信された信任情報を受信を待ち（ステップＳ２４）、その信任情報が一致するか否かを判定する（ステップＳ２５）。ステップＳ２５で一致しない（認証不可）の場合には、再度ステップＳ２３へ戻り画像データ送信装置１に要求する。
【００６１】
ステップＳ２２で信任情報が必要なかった場合、並びにステップＳ２５で一致した場合には、指定されたユーザ用のアドレス帳を読み込み（ステップＳ２６）、画像データ送信装置１にそのアドレス帳を送信する（ステップＳ２７）。次に、ステップＳ９の送信設定情報及び送付状データの取得要求を待ち（ステップＳ２８）、要求が有った時点で要求されたデータを画像データ送信装置１に送信する（ステップＳ２９）。
【００６２】
図１１は、本発明の他の実施形態に係る画像データ送信システムの一構成例を示すブロック図である。図１１で例示する画像データ送信システムでは、図１で例示したシステムにおいて、送付状記憶部２５がサーバ装置２側になく、送付状記憶部１７として画像データ送信装置１側に設けられてなるシステムである。送付状記憶部１７は、ハードディスク等の記憶手段でなる。
【００６３】
このように、図１１で例示する画像データ送信システムでは、サーバ装置２には、送信先の情報、画像データ送信装置１を使用するユーザの情報、及び使用する送付状データを示す送信設定情報が関連付けられたアドレス帳データが記憶されており、一方で画像データ送信装置１には送付状データが記憶されている。
【００６４】
従って、図１のシステムとの処理の違いは、画像データ送信装置１において送付状データの取得が必要ない点である。送付状記憶部１７で記憶される送付状データは、予めサーバ装置２でアドレス帳データの送信設定情報として関連付けられており、ネットワーク３経由や記録媒体経由で配布されたものを記憶すればよい。但し、この送付状データは、画像データ送信装置１では変更不可とする。
【００６５】
以上、図１乃至図１１を参照しながら、本発明の画像データ送信システム、画像データ送信装置、及びサーバ装置について各実施形態を説明してきたが、本発明は、画像データ送信装置に組み込むプログラムやサーバ装置に組み込むプログラムとしての形態も採り得る。これらプログラムは、制御部１０内の制御プログラムや制御部２０内の制御プログラムとして例示したものである。すなわち、前者の制御プログラムは、画像データ送信装置１内の制御部１０に組み込み、制御部１０を上述した画像データ送信装置１側の各手段として機能させるためのプログラムであり、後者の制御プログラムは、コンピュータを、上述したサーバ装置２側の各手段として機能させるためのプログラムである。
【００６６】
言い換えると、画像データ送信装置１側のプログラムは、画像データ送信装置１の制御部１０に、ユーザに応じたアドレス帳データ又はアドレス帳データ及び送付状データをサーバ装置２から取得するデータ取得ステップと、取得した送付先の情報の中からユーザ選択操作に従って送信先の選択を行う送信先選択ステップと、選択された送信先に関連付けられた送付状データに基づき送付状画像データを生成し、送信対象画像データを２頁以降として添付して、送付状付き画像データを生成する画像データ生成ステップと、生成された送付状付き画像データを送信先に送信する画像データ送信ステップとを実行させるプログラムである。そして、この画像データ送信ステップは、画像データ生成ステップで生成された送付状付き画像データ以外の画像データの送信を禁止するものとする。
【００６７】
また、サーバ装置２側のプログラムは、コンピュータに、送信先の情報、前記画像データ送信装置を使用するユーザの情報、及び使用する送付状データを示す送信設定情報が関連付けられたアドレス帳データ（及び送付状データ）を記憶手段に記憶させる登録ステップと、画像データ送信装置１からの取得要求に応じて、要求のあった画像データ送信装置１のユーザに応じたアドレス帳データ又はアドレス帳データ及び送付状データを記憶手段から読み出して送信するデータ送信ステップとを実行させるプログラムである。
【００６８】
そして、このようなプログラムは、それを記録したコンピュータ読み取り可能な記録媒体としての配布することやネットワーク経由で配信することができ、画像データ送信装置やサーバ装置に実行可能に組み込むことができる。
【図面の簡単な説明】
【００６９】
【図１】本発明の一実施形態に係る画像データ送信システムの一構成例を示すブロック図である。
【図２】図１のサーバ装置における送信先情報の登録画面の一例を示す図である。
【図３】図１のサーバ装置におけるユーザ毎の送信先情報の登録画面の一例を示す図である。
【図４】図１のサーバ装置におけるユーザ毎の送信先情報の登録画面の他の例を示す図である。
【図５】図１のサーバ装置において登録される送付状データ及びその送付状データから最終的に画像データ送信装置で生成される送付状画像データの一例を示す図である。
【図６】図１のサーバ装置において記憶されるアドレス帳データの一例を示す図である。
【図７】図１の画像データ送信装置における一連の送信先選択画面の一例を示す図である。
【図８】図７に続く送信先選択画面の一例を示す図である。
【図９】図１の画像データ送信システムにおける画像データの送信処理の一例を説明するためのフロー図で、画像データ送信装置側の処理例を説明するためのフロー図である。
【図１０】図９の処理に対応するサーバ装置側の処理例を説明するためのフロー図である。
【図１１】本発明の他の実施形態に係る画像データ送信システムの一構成例を示すブロック図である。
【符号の説明】
【００７０】
１…画像データ送信装置、２…サーバ装置、３…ネットワーク、１０…画像データ送信装置側の制御部、１１…アドレス帳取得部、１２…送信先選択部、１３…送信条件選択部、１４…送信データ生成部、１５…送信要求部、１６…画像データ送信装置側の通信部、１７…画像データ送信装置側の送付状記憶部、２０…サーバ装置側の制御部、２１…アドレス帳登録部、２２…送信制御部、２３…サーバ装置側の記憶部、２４…アドレス帳記憶部、２５…サーバ装置側の送付状記憶部、２６…サーバ装置側の通信部。
【図１】
2008258892.tif 000003
【図２】
2008258892.tif 000004
【図３】
2008258892.tif 000005
【図４】
2008258892.tif 000006
【図５】
2008258892.tif 000007
【図６】
2008258892.tif 000008
【図７】
2008258892.tif 000009
【図８】
2008258892.tif 000010
【図９】
2008258892.tif 000011
【図１０】
2008258892.tif 000012
【図１１】
2008258892.tif 000013